(57)【特許請求の範囲】
【請求項１】
雨傘を先端から挿入可能な開口部を上部に有する中空縦長のケースと、
前記開口部から前記ケース内に挿入された前記雨傘の外面に内面で夫々接触するように前記ケース内に対向配置された少なくとも一対の吸水体と、
前記各吸水体を互いに圧接させる内方向、且つ上方向に弾性付勢する付勢手段と、を備え、前記開口部から前記各吸水体間に前記雨傘が挿入されて前記付勢手段の付勢力に抗して前記両吸水体の間隔が広がったときに前記両吸水体を下降させる吸水体下降手段と、
を備えたことを特徴とする雨傘用脱水装置。
【請求項２】
前記雨傘が前記両吸水体間に挿入されていない時に前記各吸水体を圧縮変形させて前記吸水体に吸水された水分を絞り出す脱水手段を備えたことを特徴とする請求項１記載の雨傘用脱水装置。
【請求項３】
前記脱水手段は、前記吸水体を強制的に下降させて前記両吸水体間隔を広げてから前記各吸水体を圧縮変形させることを特徴とする請求項２記載の雨傘用脱水装置。
【請求項４】
前記脱水手段は、押圧操作するペダルと、該ペダルを押圧した時に作動して前記各吸水体を圧縮変形させる吸水体変形手段と、を備えたことを特徴とする請求項２又は３記載の雨傘用脱水装置。
【請求項５】
前記脱水手段によって圧縮変形した前記各吸水体を伸張状態に復帰させる伸張手段を備えたことを特徴とする請求項２乃至４の何れか一項記載の雨傘用脱水装置。
【請求項６】
前記伸張手段の付勢力に抗して前記吸水体を圧縮変形させる力が、前記付勢手段の付勢力に抗して前記吸水体を下降させる力よりも大きく設定されていることを特徴とする請求項５記載の雨傘用脱水装置。
【請求項７】
前記吸水体の上端部又は下端部のうちの一方の端部を固定的に保持する吸水フレームと、該吸水フレームの適所に貫通形成された挿通孔と、を備えた吸水ユニットが、前記ケース内に対向配置されており、
前記吸水体下降手段は、前記ケース側面に形成されて前記両吸水ユニットの間隔が広がったときに前記吸水ユニットを下降させる方向へガイドするスリット状の案内孔と、該案内孔と前記挿通孔とを連通させた状態にて双方の孔に挿通される軸部材と、を備えることを特徴とする請求項１記載の雨傘用脱水装置。
【請求項８】
前記吸水体の上端部又は下端部を前記吸水フレームに対して上下方向に移動自在に構成された非固定端部とし、
前記雨傘が前記両吸水体間に挿入されていない時に、前記非固定端部を前記吸水体の他端部に近接させることにより前記吸水体を圧縮変形させて該吸水体に吸水された水分を絞り出す脱水手段を備えたことを特徴とする請求項７記載の雨傘用脱水装置。
【発明の詳細な説明】
【技術分野】
【０００１】
本発明は、短時間で濡れた雨傘の水分を除去する雨傘用脱水装置に関し、特に、電源不要、小型で設置スペースを取らず、運搬容易な雨傘用脱水装置に関する。
【背景技術】
【０００２】
従来、雨水が付着した雨傘を公共施設や店舗等の建物に持ち込む際には、建物の出入り口にて雨傘をビニール袋で被覆して水滴が落ちないようにしていた。しかしながら、こうしたビニール袋は再利用されることなく廃棄されてしまい、無駄が多いことから、近年では雨傘に付着した水分を除去する装置が開発され、建物入口等に設置されている。
例えば特許文献１には、雨傘の先端部を下方にした姿勢で水平方向に移動させる傘移動手段と、雨傘の外面に付着した雨水を吸水する吸水体と、吸水体を雨傘の移動方向又はその反対方向に移動させる吸水体移動手段と、傘移動手段又は吸水体移動手段を駆動制御する駆動制御手段と、吸水体に圧接して、吸水体の保持する水分を脱水する脱水ローラと、を備えた傘用脱水装置が記載されている。この発明によれば、雨傘に付着した水分を機械的に除去するので、雨傘を収容するビニール袋が不要となる。
【先行技術文献】
【特許文献】
【０００３】
【特許文献１】特許第３６１６００１号
【発明の概要】
【発明が解決しようとする課題】
【０００４】
しかしながら、特許文献１の発明においては、雨傘と吸水体を移動させるためにモータと電源が必要である。また、モータと電源を装備するために、装置全体が大型化、重量化するという問題がある。また、水分吸収後の吸水体を脱水するために別途脱水用のローラが必要であることから、部品点数の増大及び装置全体の重量化を招くという問題がある。
本発明は、上述の事情に鑑みてなされたものであり、電源不要、小型で設置スペースを取らず、運搬容易な雨傘用脱水装置を提供することを目的とする。
【課題を解決するための手段】
【０００５】
上記の課題を解決するために、請求項１に記載の発明は、雨傘を先端から挿入可能な開口部を上部に有する中空縦長のケースと、前記開口部から前記ケース内に挿入された前記雨傘の外面に内面で夫々接触するように前記ケース内に対向配置された少なくとも一対の吸水体と、前記各吸水体を互いに圧接させる内方向、且つ上方向に弾性付勢する付勢手段と、を備え、前記開口部から前記各吸水体間に前記雨傘が挿入されて前記付勢手段の付勢力に抗して前記両吸水体の間隔が広がったときに前記両吸水体を下降させる吸水体下降手段と、を備えたことを特徴とする。
請求項１の発明では、対向配置された吸水体は、付勢手段により常時互いに圧接されている。吸水体間に上方から雨傘を差し込むと、雨傘の径の分だけ吸水体の間隔が広くなるが、付勢手段の付勢力により吸水体は雨傘に圧接した状態を保持し、傘に付着した雨水を吸水する。吸水体の間隔が広がるとき、吸水体は吸水体下降手段の働きにより下降する。挿入した雨傘を引き抜くと、吸水体には付勢手段の付勢力の他に雨傘の表面と吸水体表面との摩擦力が働き、雨傘への圧接力を高めながら互いに近接する方向且つ上方へ引き上げられる。
【０００６】
請求項２に記載の発明は、前記雨傘が前記両吸水体間に挿入されていない時に前記各吸水体を圧縮変形させて前記吸水体に吸水された水分を絞り出す脱水手段を備えたことを特徴とする。
請求項２の発明では、脱水手段により吸水体から水分を絞り出して、雨水の吸水能力を回復させることができる。
請求項３に記載の発明は、前記吸水体を強制的に下降させて前記両吸水体間隔を広げてから前記各吸水体を圧縮変形させることを特徴とする。
請求項３の発明では、吸水体の脱水時に吸水体間隔を広げるので、吸水体の変形に必要なスペースが確保される。
請求項４に記載の発明は、前記脱水手段は、押圧操作するペダルと、該ペダルを押圧した時に作動して前記各吸水体を圧縮変形させる吸水体変形手段と、を備えたことを特徴とする。
請求項４の発明では、ペダルにより脱水手段を動作させることができる。
【０００７】
請求項５に記載の発明は、前記脱水手段によって圧縮変形した前記各吸水体を伸張状態に復帰させる伸張手段を備えたことを特徴とする。
請求項５の発明では、吸水体は伸張手段により変形が解消され、雨水を吸水するに適した形状に回復する。
請求項６に記載の発明は、前記伸張手段の付勢力に抗して前記吸水体を圧縮変形させる力が、前記付勢手段の付勢力に抗して前記吸水体を下降させる力よりも大きく設定されていることを特徴とする。
請求項６の発明では、吸水体の変形に必要なスペースが確保されてから脱水動作が行われる。
【０００８】
請求項７に記載の発明は、前記吸水体の上端部又は下端部のうちの一方の端部を固定的に保持する吸水フレームと、該吸水フレームの適所に貫通形成された挿通孔と、を備えた吸水ユニットが、前記ケース内に対向配置されており、前記吸水体下降手段は、前記ケース側面に形成されて前記両吸水ユニットの間隔が広がったときに前記吸水ユニットを下降させる方向へガイドするスリット状の案内孔と、該案内孔と前記挿通孔とを連通させた状態にて双方の孔に挿通される軸部材と、を備えることを特徴とする。
請求項７の発明では、吸水体は吸水フレームに保持されており、これらをユニット化した吸水ユニットが案内孔によってガイドされる。
請求項８に記載の発明は、前記吸水体の上端部又は下端部を前記吸水フレームに対して上下方向に移動自在に構成された非固定端部とし、前記雨傘が前記両吸水体間に挿入されていない時に、前記非固定端部を前記吸水体の他端部に近接させることにより前記吸水体を圧縮変形させて該吸水体に吸水された水分を絞り出す脱水手段を備えたことを特徴とする。
請求項８の発明では、吸水体の非固定端部を固定端部側に移動させて、吸水体の脱水に必要な変形を起こさせる。
【発明の効果】
【０００９】
本発明によれば、動作部分にモータを用いてないため、電源が不要であり、小型で設置スペースを取らず、運搬容易である。また、傘の挿入に応じて吸水体が自動的に移動して雨傘に付着した水分を取っていくので、傘の脱水の際に特別な操作が不要であり、万人が容易に使用できる。
【図面の簡単な説明】
【００１０】
【図１】本発明の第一の実施形態に係る雨傘用脱水装置の使用状態を示す斜視図である。
【図２】雨傘用脱水装置の上面図である。
【図３】図２に示した雨傘用脱水装置のＡ−Ａ断面図である。
【図４】図２に示した雨傘用脱水装置のＢ−Ｂ断面図である。
【図５】吸水ユニットの斜視図であり、（ａ）は正面側斜視図であり、（ｂ）は裏面側斜視図である。
【図６】吸水フレームの斜視図であり、（ａ）は正面側斜視図であり、（ｂ）は裏面側斜視図である。
【図７】吸水体を示す図であり、（ａ）は正面側斜視図であり、（ｂ）は裏面側斜視図であり、（ｃ）は（ｂ）中のＣ−Ｃ断面図である。
【図８】吸水ユニットが装着された内ケースの斜視図である。
【図９】図２に示した雨傘用脱水装置のＡ−Ａ断面図であり、雨傘が挿入された状態を示す図である。
【図１０】図２に示した雨傘用脱水装置のＢ−Ｂ断面図であり、吸水体脱水動作を説明する図である。
【図１１】図２に示した雨傘用脱水装置のＡ−Ａ断面図であり、吸水体脱水動作を説明する図である。
【図１２】本発明の第二の実施形態に係る雨傘用脱水装置の使用状態を示す斜視図である。
【図１３】吸水ユニットが装着された内ケースの斜視図である。
【図１４】図２のＡ−Ａ断面図に対応する断面図である。
【発明を実施するための形態】
【００１１】
〔第一の実施形態〕
以下、本発明の第一の実施形態を図１乃至図４に基づいて詳細に説明する。図１は、本発明の第一の実施形態に係る雨傘用脱水装置の使用状態を示す斜視図である。図２は、雨傘用脱水装置の上面図である。図３は、図２に示した雨傘用脱水装置のＡ−Ａ断面図である。図４は、図２に示した雨傘用脱水装置のＢ−Ｂ断面図である。
本実施形態に係る雨傘用脱水装置は、対向配置された吸水体を雨傘の外面に圧接させて雨傘に付着した水分を除去する雨傘用脱水装置であり、雨傘を先端側から吸水体間に圧入する脱水時には吸水体の間隔が広がりながら下降する点、及び吸水体を圧縮変形させて吸水体を脱水する点に特徴がある。
【００１２】
雨傘用脱水装置１は、雨傘Ｕを先端から挿入可能な開口部１５を上部に有する中空縦長のケース（外ケース１０及び内ケース１００）と、開口部１５からケース内に挿入された雨傘Ｕの外面に内面で夫々接触するようにケース（内ケース１００）内に対向配置された少なくとも一対の吸水体２０１と、各吸水体２０１を互いに圧接させる内方向、且つ上方向に弾性付勢する引きバネ１０７（付勢手段）と、を備え、開口部１５から各吸水体２０１間に雨傘Ｕが挿入されて引きバネ１０７の付勢力に抗して両吸水体２０１の間隔が広がったとき（図９参照）に両吸水体２０１が下降することを許容する吸水体下降手段１０８（案内孔１０９、軸部材１１１）と、雨傘Ｕが両吸水体２０１間に挿入されていない時に各吸水体２０１を圧縮変形させて（図１１参照）吸水体２０１に吸水された水分を絞り出す脱水手段（ペダル３３、脱水用紐２１３）と、を備えている。
中空四角柱状の外ケース１０には内ケース１００が収容され、内ケース１００には、吸水体２０１を保持した吸水ユニット２００が対向配置されている。
なお、外ケースの形状は、四角柱状である必要はなく、建物入口等の設置箇所の状況に応じた適切な形状を有したものを選定可能である。例えば、三角柱形、円筒形等々を選定可能である。
【００１３】
〔外ケース〕
外ケース１０は、上部から雨傘Ｕを受け入れる外ケース本体１３と、開口部１５と、外ケース本体１３上部を開閉自在に閉止する上蓋１７と、を備えている。
外ケース本体１３は、中空四角柱状であり、上蓋１７の開口部１５を介して雨水が付着した雨傘Ｕを挿入することができる。外ケース本体１３の外側面適所には、雨傘用脱水装置１を運搬するための運搬用取手１９が取り付けられている。
外ケース本体１３内部の中空部分下方には、雨傘Ｕから除去された水分を一時的に貯留する水受２１が配置されている（図３、図４）。水受２１は、外ケース本体１３の下方に配置された引き出し２２内に収容されている。引き出し２２の外側面のうちの一面には引き出し２２を外ケース本体１３に対して取り付け、取り外し自在にする水受引出用取手２３が取り付けられている。水受２１の内底部には、雨傘Ｕから除去された水分が水受２１内部で撥ねて外ケース本体１３の内部を汚染しないようにする水はね防止部材２５が敷き詰められている。水はね防止部材２５は、例えば人工芝や綿状の部材から構成することができる。
水受２１直上の外ケース本体１３内側面には、雨傘Ｕから脱水された水分を水受２１に案内する水ガイド板２７が配置されている。水ガイド板２７は板状の部材からなり、外ケース本体１３の内側面から水受２１の内側中央部に向かって水を案内する傾斜面を有している。水ガイド板２７の直上には、内ケース１００を係止する係止片２９が突設されている。
【００１４】
外ケース本体１３の最下部の底板３１には、押圧操作可能なペダル３３が取り付けられている（図１、図２、図４）。ペダル３３は外側端縁を底板３１に設けたヒンジ部３１ａによって軸支されることにより上下方向へ回動可能となっている（図４）。ペダル３３の内側端縁の両端部からは夫々リンクアーム３５が一体的に突設され、各リンクアーム３５は外ケース本体１３下部に形成された縦長のスリット３７から外ケース本体１３内部に挿入されている。リンクアーム３５は、外ケース本体１３内部にて吸水体２０１に固定された脱水用紐２１３とリンク片１２９等を介して接続されており、ペダル３３の押圧操作に応じて、脱水用紐２１３が引き下げられ、吸水体２０１を脱水するようになっている。なお、脱水用紐２１３による吸水体２０１の脱水については後述する。
図２に示すように上蓋１７は、外ケース本体１３上端縁にヒンジ軸３９を介して開閉自在に軸支されている。また、上蓋１７及び外ケース本体１３の側面適所には、上蓋１７を閉止状態に係止する閉止金具４１が取り付けられている。
【００１５】
〔吸水ユニット〕
内ケース１００内に収容される吸水ユニットについて、図５乃至７に基づいて説明する。図５は、吸水ユニットの斜視図であり、（ａ）は正面側斜視図であり、（ｂ）は裏面側斜視図である。図６は、吸水フレームの斜視図であり、（ａ）は正面側斜視図であり、（ｂ）は裏面側斜視図である。図７は、吸水体を示す図であり、（ａ）は正面側斜視図であり、（ｂ）は裏面側斜視図であり、（ｃ）は（ｂ）中のＣ−Ｃ断面図である。
吸水ユニット２００は、雨傘Ｕに付着した水分を吸水する材質から成る吸水体２０１と、吸水体２０１を保持するに足る剛性を有した材質から成る吸水フレーム２３０と、を備える。内ケース１００内には一対の吸水ユニット２００が、夫々の吸水体２０１の吸水作用を有する面が向き合うように対向配置される（図３）。以下では、雨傘Ｕが雨傘用脱水装置１内に挿入されたときに雨傘Ｕ側となる面、言い換えれば、各吸水ユニット２００の対向面側を表面とし、その反対側の面を裏面として説明する。
【００１６】
図６に示すように、吸水フレーム２３０は、略平行に配置された２本の縦フレーム２３１と、両縦フレーム２３１間に渡された複数の横フレーム２３３と、を備える。各縦フレーム２３１の対向面の上端部側と下端部側には、挿通孔２３５が夫々貫通形成されている。各縦フレーム上端部寄りに対向配置された一対の挿通孔２３５には一本の軸部材１１１（図３、図８）が挿通される。また、各縦フレーム下端部寄りに対向配置された一対の挿通孔２３５にも一本の軸部材１１１が挿通される。後述するように軸部材１１１は、内ケース１０１側面に形成された案内孔１０９とともに、吸水体２０１を斜め下方向に下降させる吸水体下降手段１０８として機能する（図８）。
図６に示すように、各縦フレーム間に上下方向に所定の間隔を隔てて配置された３本の横フレーム２３３（上から２３３ａ、２３３ｂ、２３３ｃ）は、互いに略平行に架け渡されている。最上位の横フレーム２３３ａには、吸水フレーム２３０と内ケース１００との間に雨傘Ｕを進入不能にすると共に、雨傘Ｕ又は雨傘Ｕから滴り落ちる水分を吸水体２０１間に案内する挿入ガイドシート２３７が取り付けられている。挿入ガイドシート２３７が、吸水フレーム２３０と内ケース１００との間の隙間を覆うことにより、この隙間への水の浸入を防止している。
最上位の横フレーム２３３ａと、その下方に位置する横フレーム２３３ｂの裏面には、吸水体２０１を着脱自在に固定する面ファスナー２３９（固定部材）が貼付されている。面ファスナー２３９が貼付された二本の横フレーム２３３の直下には、夫々２つの縦フレーム２３１により夫々両端部を軸支された反転ローラ２４１が、各横フレーム２３３に対して略平行に配置されている。図示する吸水フレーム２３０は、面ファスナー２３９が貼付された横フレーム２３３と反転ローラ２４１とからなる組を２つ有しているので、各吸水フレーム２３０には夫々上下位置関係で２つの吸水体２０１を装着することができる。横フレーム２３３と反転ローラ２４１の組数を変更することにより、装着可能な吸水体２０１の数を任意に変更することができる。
【００１７】
図７に示すように、吸水体２０１は、雨傘Ｕの水分を吸い取るスポンジ２０３（吸水体本体）と、スポンジ２０３表面を被覆する通水性を有した保護カバー２０５と、スポンジ２０３裏面の上端部及び下端部に夫々固定された上部形状保持板２０７と下部形状保持板２０９と、上部形状保持板２０７の上部から突出形成されて吸水体２０１を吸水フレーム２３０に位置決め固定する面ファスナー２１１（被固定部材）と、スポンジ２０３を上下方向に伸縮させる脱水用紐２１３（吸水体変形手段）と、下部形状保持板２０９によって回転自在に支持されてスポンジ２０３が伸縮する際に縦フレーム２３１に沿って上下方向に転動するローラ２１５と、変形したスポンジ２０３を伸張状態に復帰させる板バネ２１７（伸張手段）と、を備えている。
【００１８】
スポンジ２０３は概略矩形状であり、図７（ｃ）に示すように薄板状のスポンジが複数積層されて構成されている。なお、スポンジ２０３が単数のスポンジから構成されてもよい。スポンジ２０３表面側の横方向中間部には縦方向に伸びる凹部２１９が形成され、雨傘Ｕの外面との接触面積を増大させる。凹部２１９は、横方向中間部におけるスポンジ厚を横方向両端部におけるスポンジ厚よりも薄くすることにより形成する。例えば、スポンジ積層数を、横方向中間部と両端部とで変化させることにより形成してもよい。また例えば、スポンジ２０３を単数のスポンジから構成した場合には、スポンジ表面又は裏面を適宜削り取ることにより形成してもよい。
なお、スポンジとしては、図示のように内側面を略フラットな構造とする以外に、雨傘の外面になじみ易い円弧状の内面を有した凹形状としてもよい。吸水体間に雨傘を差し込んだときに雨傘の外面全体が両吸収体の凹状の内面によってカバーされるように接触面積を広くすれば、雨水を吸収、脱水する効率を高めることができる。
【００１９】
保護カバー２０５は、スポンジ２０３を雨傘Ｕ外面との摩擦から保護する。保護カバー２０５は、例えばメッシュ状、或いは布状等、通水性に優れた素材から形成されており、雨傘Ｕの外面に付着した水分は、保護カバー２０５を通過してスポンジ２０３に吸収される。
上部形状保持板２０７と下部形状保持板２０９は、夫々スポンジ２０３上端部と下端部において、横方向への変形を禁止する部材であり、容易には変形しない硬質の樹脂等から形成されている。
面ファスナー２１１は、一部（下部）が上部形状保持板２０７に固定され、他部（上部）が上部形状保持板２０７から突出している。面ファスナー２１１は、横フレーム２３３の裏面に貼付された面ファスナー２３９と対となる部材であり、吸水体２０１を吸水フレーム２３０に着脱自在に固定することができる。つまり、吸水体２０１が吸水フレーム２３０に装着されたとき、吸水体２０１の上部形状保持板２０７が吸水フレーム２３０に固定される一方で（固定端部）、下部形状保持板２０９は吸水フレーム２３０に対して非固定的に構成される（非固定端部）。下部形状保持板２０９は吸水フレーム２３０に対して、少なくとも上下動が可能である。仮にスポンジ２０３や保護カバー２０５、或いは吸水体２０１を構成するその他の部材が劣化した場合には、これらの部材を容易に交換することが可能である。なお、吸水体２０１を吸水フレーム２３０に着脱自在に固定することができれば、面ファスナー以外の着脱手段を用いても良い。
【００２０】
脱水用紐２１３の長手方向一端部は下部形状保持板２０９に固定されている。図５に示すように、吸水フレーム２３０によって上下位置関係で保持された２つの吸水体２０１の各下部形状保持板２０９には夫々一本の脱水用紐２１３の長手方向両端部が固定されている。即ち、上側の吸水体２０１から延びる脱水用紐２１３は吸水体２０１の裏面に沿って上向きに延び、反転ローラ２４１に巻掛けられて下方に反転し、脱水用紐２１３の下方に延びた部位はリンク片１２９の先端の輪１３０にて上向きに反転してから下側の反転ローラ２４１に巻掛けられて下方に反転して下側の吸水体２０１の下部形状保持板２０９に他端部を固定される。
輪１３０を引き下げると、反転ローラ２４１の裏側に脱水用紐２１３が引き出される過程で２つの吸水体２０１の各下部形状保持板２０９が夫々反転ローラ２４１に近接し、吸水体２０１が二つ折り状に変形して圧縮され、脱水することができる（図１１）。本実施形態においては、２つの吸水体２０１が一本の脱水用紐２１３にて接続されているので、輪１３０を引き下げることによって２つの吸水体２０１を一度に脱水することができる。
もちろん、各吸水体２０１に個別に脱水用紐を備える構成としても良い。例えば、吸水ユニットが３つ以上の吸水体２０１を備えている場合には、吸水体毎に脱水用紐を設けることにより、各吸水体を夫々圧縮変形させることができる。
【００２１】
図７に示したローラ２１５は、下部形状保持板２０９の下端部から裏面側に突出形成された部位に回動自在に軸支されている。
板バネ２１７は概略矩形状であり、スポンジ２０３裏側の略全面に添設されている。板バネ２１７は上下方向中央部が前方へ向けて膨出した湾曲形状である。スポンジ２０３表面を裏側へ押圧して凹状に変形させても、板バネ２１７の弾性力によりスポンジ２０３が変形前の形状に復帰する。また、図１１のように脱水用紐２１３を引いて各スポンジ２０３の下部を上方に変位させることにより２つ折り状に圧縮変形させても、板バネ２１７の弾性力により、変形前の形状（伸張状態）に復帰させることができる。
【００２２】
〔内ケース〕
内ケースについて図８に基づいて説明する。図８は、吸水ユニットが装着された内ケースの斜視図である。内ケース１００は、上下方向に貫通した中空四角柱状のフレーム１０１を備えている。フレーム１０１内には、２つの吸水ユニット２００が対向配置されており、互いに後方へ斜め下に往復移動可能に収容されている。
フレーム１０１の外側面には、外ケース１０の係止片２９に上方から当接することにより、外ケース１０内における内ケース１００の上下方向位置を決定する被係止片１０２が突出形成されている。
また、フレーム１０１の外側面には、外ケース１０内面との間に所定の隙間を有した状態にて外ケース１０内に内ケース１００を収容するための位置決め板１０３が突出形成されている。本実施形態において位置決め板１０３は、フレーム１０１の４つの角部から、夫々の角部を構成する２つの外側面に沿った方向に突出する複数の板部材から構成されている。また、位置決め板１０３は、フレーム１０１の上下両端部に夫々形成されているが、その数や位置については、任意に決定してよい。
また、フレーム１０１上端部の外側面には、内ケース１００を外ケース１０内へ設置する際、取り出す際、又は内ケース１００自体の運搬の際に使用する取手１０５が設けられている。
【００２３】
位置決め板１０３によって外ケース１０と内ケース１００との間に形成された間隙内には、吸水ユニット２００を互いに離間する斜め下方向に往復移動させる各部材が配置される。
内ケース１００は、雨傘Ｕが開口部１５から内ケース１００内に挿入されたときに、対向配置された吸水体２０１（吸水フレーム２３０）の間隔を拡開させながら下降させる吸水体下降手段１０８を備えている。吸水体下降手段１０８は、一方の吸水体２０１を他方の吸水体２０１から離間させる斜め下方向へガイドするスリット状の案内孔１０９（案内手段）と、案内孔１０９と横フレーム２３３の挿通孔２３５（図６）を連通させた状態にて双方の孔に挿通される（図３参照）軸部材１１１と、を備えている。
【００２４】
案内孔１０９は、フレーム１０１の対向する２つの側面の上端部側及び下端部側に夫々八字状（末広がり状）に貫通形成されている。図３に示したように案内孔１０９と吸水ユニット２００の挿通孔２３５を連通させた状態にて各孔１０９、２３５に軸部材１１１が挿通されることにより、吸水ユニット２００が内ケース１００内にて支持されるようになっている。また、案内孔１０９は、対向配置された２つの吸水ユニット２００の間隔が広がったときに、吸水ユニット２００が下降するように案内する。なお、吸水ユニット２００の間隔を広げつつ下降させることができれば、案内孔１０９以外の他の手段を用いてもよい。例えば、案内孔１０９の代わりにレールを用いてもよい。
図８に示すように、軸部材１１１の両端部のうちフレーム１０１の外側面から突出した部位には、案内孔１０９を通過不能な大きさを有するワッシャー１１３が挿通されている。また、ワッシャー１１３よりも端部側に開口された軸部材１１１の穴には、抜け止めピン１１５が挿通され、ワッシャー１１３の抜け落ちを防止している。ワッシャー１１３と抜け止めピン１１５とにより、軸部材１１１の案内孔１０９及び挿通孔２３５からの脱落を防止している。なお、抜け止めピン１１５には、抜け止めピンの取り外しを容易にするリング１１７が取り付けられている。
【００２５】
案内孔１０９が形成されたフレーム１０１の外側面には、２つの吸水ユニット２００を常時上方向に弾性付勢する引きバネ１０７（付勢手段）が配置されている。引きバネ１０７の上端部１０７ａは、フレーム１０１の上端部側に位置する案内孔１０９の直下に固定された水平部材１１９に係止されている。また、引きバネ１０７の下端部１０７ｂは、フレーム１０１の下端部側に位置する案内孔１０９から端部を突出させる軸部材１１１に対して、逆Ｙ字状のリンク機構１２１を介して接続されている。つまり、吸水フレーム２３０の下端部が、リンク機構１２１を介して引きバネ１０７によって常時上方に弾性付勢される構成である。さらに、引きバネ１０７によって弾性付勢された２つの吸水ユニット２００は、上端部へ向かうほど間隔が狭くなる各案内孔１０９により互いに圧接する内方向に案内され、吸水体２０１は常時において密着している。
なお、引きバネ１０７の代わりに、対向する２つの吸水ユニット２００夫々に挿通された両軸部材１１１間に引きバネを配置し、両吸水ユニット２００を互いに圧接する内方向に直接弾性付勢するようにしてもよい。この場合であっても、吸水ユニット２００は案内孔１０９の働きにより常時上方に弾性付勢されることとなる。
【００２６】
引きバネ１０７の上端部１０７ａには、上端部１０７ａの上下方向位置を変更することにより、引きバネ１０７による付勢力を調整する付勢力調整ネジ１２３が配置されている。
ここで、案内孔１０９が形成された内ケース１００のうちの一側面について考える。雨傘用脱水装置１においては、リンク機構１２１を介在させることにより１つの引きバネ１０７にて２つの対向する吸水ユニット２００を上方向に弾性付勢することができる。従って、吸水体２０１間に雨傘Ｕを挿入したときに、２つの吸水ユニット２００を同一の量だけ下降させることができる。もちろん、リンク機構１２１を備えずに、吸水ユニット２００ごとに引きバネ１０７を配置した構成としても構わない。この場合、複数の引きバネが必要となることから、２つの吸水ユニット２００を同一の量だけ下降させるためには各引きバネの付勢力の調整が必要となる。
なお、２つの吸水ユニットのうち、一方が可動し、他方が内ケース１００に固定された構成としてもよい。つまり、少なくとも一方の吸水ユニットが他方の吸水ユニットに対して吸水体を圧接させる内方向、且つ上方向に弾性付勢され、さらに一方の吸水ユニットを他方の吸水ユニットから離間させる斜め下方向に案内移動するように構成されていてもよい。
【００２７】
或いは、吸水ユニットを一つだけ用いた構成としてもよい。即ち、この場合、内ケースに一つの吸水ユニットと、この吸水ユニットと対向配置された押圧部材と、を収容し、吸水ユニットの吸水体と押圧部材との間で濡れた雨傘を圧接して雨水を吸水体に吸水させることができる。
さらに、吸水ユニット２００を斜めに傾斜させた状態にて内ケース１００に収容してもよい。つまり、対向配置される２つの吸水ユニット２００の間隔が、下部から上部に向かって次第に広がる逆八の字形状に配置してもよい。この場合、先すぼみとなる雨傘Ｕの外面に吸水体２０１を密着させることができ、雨水を吸収、脱水する効率を高めることができる。
また、平面形状が長方形の大型の外ケース内に複数の吸水ユニットを一列、或いは複数列に配置することによって、複数人が同時に利用できるようにしてもよい。
【００２８】
フレーム１０１の側面のうち、案内孔１０９が形成されていない２つの側面には、吸水体２０１の脱水用紐２１３を内ケース１００内部から外部（内ケース１００と外ケース１０との間）へ引き出す紐引出穴１２５が形成されている。
紐引出穴１２５直下の内ケース１００外側面には、ローラ１２７が上下方向に回転自在に軸支されている。ローラ１２７は、紐引出穴１２５から引き出された脱水用紐２１３と接触して、脱水用紐２１３を内ケース１００側面から浮かせ、脱水用紐２１３を内ケース１００側面や紐引出穴１２５の端縁と接触させないようにする。また、脱水用紐２１３の長手方向における進退移動に応じて回転して、摺動による脱水用紐２１３の損傷を防止する。
紐引出穴１２５から引き出された脱水用紐２１３は、リンク片１２９を介してペダル３３と接続される（図３、図４）。なお、ペダル３３は常時底板３１から浮き上がった状態にある。図１０及び図１１に示すようにペダル３３が踏み込まれると、引きバネ１０７の付勢力に抗して２つの吸水ユニット２００が下降し、さらにペダル３３が踏み込まれるとスポンジ２０３が圧縮変形する。
リンク片１２９には、脱水用紐２１３を伝わって下降してきた水分が水受２１内に滴下されるように案内するガイドシート１３１が挿通されている（図８、図３）。
【００２９】
〔使用方法〕
雨傘用脱水装置１の使用法について説明する。
まず、雨傘の脱水方法について図３及び図９に基づいて説明する。図９は、図２に示した雨傘用脱水装置のＡ−Ａ断面図であり、雨傘が挿入された状態を示す図である。
図３に示すように、雨傘Ｕの挿入前において、対向する吸水体２０１は、引きバネ１０７により上方向に位置するように付勢されると同時に、互いに内方向に付勢されて圧接している。なお、２つの吸水体２０１は、共に上部側が縦フレーム２３１に密着するように取り付けられ、裏面側に突出するローラ２１５によって下部側が縦フレーム２３１から離間した状態に取り付けられているので、吸水体２０１の下部が互いに圧接し、上部が離間した状態となっており、雨傘Ｕを上方から導き入れやすくなっている。
図９に示すように、雨傘Ｕを先端（石突）から開口部１５に挿入すると（矢印Ｄ１方向）、雨傘Ｕの厚みにより引きバネ１０７の付勢力に抗して、対向する吸水体２０１の間隔が広がる。両吸水体２０１の間隔が広がるとき、吸水体下降手段１０８の働きにより、吸水体２０１を含む吸水ユニット２００が下降する。なお、吸水体２０１は、引きバネ１０７の付勢力により、雨傘Ｕの外面に圧接した状態にて下降する。利用者が雨傘Ｕを矢印Ｅ方向に回転させると、雨傘Ｕ外面に付着した水分が吸水体２０１によって拭き取られる。
【００３０】
また、雨傘Ｕを雨傘用脱水装置１から引き抜こうとすると（矢印Ｄ２方向）、雨傘Ｕの傘地との摩擦力により吸水体２０１が上方に引き上げられる。このとき、吸水体２０１は案内孔１０９によって案内され、互いに近接する方向に移動しながら上昇する。その結果、吸水体２０１は雨傘Ｕの傘地との圧接力を高めながら効率よく雨傘Ｕ外面の水分を拭き取っていく。
つまり、雨傘Ｕの挿入時には、対向する吸水体２０１が互いの間隔を広げながら下降するので、雨傘Ｕ外面との圧接力（摩擦抵抗）を弱めながら雨傘Ｕを受け入れることとなり、雨傘Ｕを挿入しやすくなる。また、雨傘Ｕの引き抜き時には、対向する吸水体２０１が互いの間隔を狭めながら上昇するので、雨傘Ｕ外面との圧接力（摩擦抵抗）が高まり、雨傘Ｕ外面の水分を効率よく吸収する。このように、雨傘用脱水装置１においては、挿入時と引き抜き時とで、吸水体２０１と雨傘Ｕ外面との圧接力が変化するので、雨傘Ｕの外面から効率よく水分を除去することができる。
【００３１】
次に、水分を吸水したスポンジ２０３の脱水方法について図４、図１０及び図１１に基づいて説明する。図１０は、図２に示した雨傘用脱水装置のＢ−Ｂ断面図である。図１１は、図２に示した雨傘用脱水装置のＡ−Ａ断面図である。スポンジ２０３が十分に水分を吸水した場合には、吸水体２０１間に雨傘Ｕが挿入されていない状態でペダル３３を押圧操作することにより、吸水体を変形させるための各部材が作動してスポンジ２０３に吸収された水分を絞り出すことができる。
図示するように、ペダル３３はリンク片１２９を介して脱水用紐２１３と接続されており、ペダル３３を矢印Ｆ方向に踏み込むことによって、脱水用紐２１３が下方に引っ張られる構造である。吸水体２０１の上部は横フレーム２３３に固定され、脱水用紐２１３と直接的に接続された吸水体２０１の下部は、縦フレーム２３１に沿って上下動可能である。脱水用紐２１３を下方向に引くと、反転ローラ２４１に巻き掛けられた脱水用紐２１３が吸水体２０１下部を引き上げるので、吸水体２０１下部が縦フレーム２３１に沿って上方に移動する。従って、図１１に示すように、吸水体２０１が２つ折り様に圧縮変形して、脱水される。
【００３２】
また、吸水体２０１を圧縮変形させるときに必要な力は、引きバネ１０７の付勢力に抗して吸水ユニット２００を下降させるときに必要な力よりも大きく設定されている。したがって、脱水用紐２１３を下方向に引くと、吸水体２０１が圧縮変形する前に、吸水ユニット２００が強制的に下降して、吸水体２０１の間隔が広がるようになっている。つまり、吸水体２０１が圧縮変形する時には、吸水体２０１が変形するための空間が確保されているので、吸水体２０１を確実に圧縮変形させることができ、吸水体２０１の脱水効率を高めることができる。
また、吸水体２０１には、板バネ２１７が添設されているので、圧縮変形後に伸張して、雨傘Ｕ外面に付着した水分を吸収可能な形状に戻ることができる。
なお、上記実施形態と異なり、吸水フレーム２３０に対して吸水体２０１の下端部を固定し（固定端部）、吸水体２０１の上端部を吸水フレーム２３０に対して少なくとも上下動可能に構成し（非固定端部）、吸水体２０１の上端部を下端部に向かって移動させることにより、吸水体２０１を圧縮変形させて脱水を行う構成としてもよい。
【００３３】
以上のように本実施形態によれば、動作部分にモータを用いていないため、電源が不要であり、小型、軽量、設置スペースを取らず、且つ運搬容易な雨傘用脱水装置を提供することができる。また、傘の挿入に応じて吸水体が自動的に移動して雨傘に付着した水分を取っていくので、傘の脱水の際に特別な操作が不要であり、万人が容易に使用できる。また、水分吸水後の吸水体本体（スポンジ）を変形させて吸水体の脱水を行うので、吸水体の脱水性能を回復可能である。また、吸水体を脱水するための脱水ローラ等の部品が不要となり、部品点数を減らし、軽量化することができる。
【００３４】
〔第二の実施形態〕
本発明の第二の実施形態について図１２乃至図１４に基づいて説明する。図１２は、本発明の第二の実施形態に係る雨傘用脱水装置の使用状態を示す斜視図である。図１３は、吸水ユニットが装着された内ケースの斜視図である。図１４は、図２のＡ−Ａ断面図に対応する断面図である。本実施形態においては、第一の実施形態に記載された部品の一部を省略、又は一体化することにより、部品点数を減少させた点に特徴がある。以下、第一の実施形態と同一の部材には同一の符号を付してその説明を省略する。
図１２に示すように雨傘用脱水装置２は、内ケース３００上端部に位置する掛止片３０１を外ケース本体１３の上端縁に掛止することにより、内ケース３００を外ケース１０に対して位置決め固定している。第一の実施形態における上蓋１７（図１参照）と内ケース１００（図８参照）とを一体化した構成である。
【００３５】
また、図１３に示すように、掛止片３０１は、内ケース３００のフレーム１０１の上端縁から周方向に突出形成された環状のつば形部材であり、下方に向けて折り返された折り返し部３０３を有している。図１４に示すように、掛止片３０１は、外ケース本体１３の上端部に嵌合するように構成されている。従って、掛止片３０１が外ケース本体１３の上端縁に掛止されて、外ケース本体１３に対する内ケース３００の上下方向位置を決定する。また、折り返し部３０３が外ケース本体１３の上端部外側面と接触して、外ケース本体１３に対する内ケース３００の横方向位置を決定する。
また、フレーム１０１の側面の紐引き出し穴１２５から引き出された脱水用紐２１３には、ガイドシート１３１が挿通されており、第一の実施形態のリンク片１２９（図３、図８参照）が省略されている。脱水用紐２１３は、複数のリング３０５を介してペダル３３のリンクアーム３５と接続されている。第一の実施形態と同様に、ペダル３３の押圧操作に応じて脱水用紐２１３が引き下げられ、吸水体２０１を脱水することができる（図１０、図１１参照）。
また、外ケース本体１３内部の中空部分下方には、引き出し兼用の水受３０７が配置されている。このように、水受と引き出しとを兼用することで、外ケース１０の内底面に対して水受の底面積を増大させることができ、雨傘Ｕから除去された水分を確実に受け止めることができる。従って、本実施形態においては、雨傘Ｕから脱水された水分を水受に案内する水ガイド板２７（図３参照）を省略している。
【００３６】
以上のように、本実施形態においても、第一の実施形態と同様、容易に傘を脱水することができる傘用脱水装置を提供することができる。また、一部の部品を省略又は一体化することで、さらに雨傘用脱水装置の軽量化を図ることができる。
【符号の説明】
【００３７】
１…雨傘用脱水装置、１０…外ケース、１３…外ケース本体、１５…開口部、１７…上蓋、１９…運搬用取手、２１…水受、２２…引き出し、２３…水受引出用取手、２５…水はね防止部材、２７…水ガイド板、２９…係止片、３１…底板、３１ａ…ヒンジ部、３３…ペダル、３５…リンクアーム、３７…スリット、３９…ヒンジ軸、４１…閉止金具、１００…内ケース、１０１…フレーム、１０２…被係止片、１０３…位置決め板、１０５…取手、１０７…引きバネ、１０８…吸水体下降手段、１０９…案内孔、１１１…軸部材、１１３…ワッシャー、１１５…抜け止めピン、１１７…リング、１１９…水平部材、１２１…リンク機構、１２３…付勢力調整ネジ、１２５…紐引出穴、１２７…ローラ、１２９…リンク片、１３０…輪、１３１…ガイドシート、２００…吸水ユニット、２０１…吸水体、２０３…スポンジ、２０５…保護カバー、２０７…上部形状保持板、２０９…下部形状保持板、２１１…面ファスナー、２１３…脱水用紐、２１５…ローラ、２１７…板バネ、２１９…凹部、２３０…吸水フレーム、２３１…縦フレーム、２３３…横フレーム、２３５…挿通孔、２３７…挿入ガイドシート、２３９…面ファスナー、２４１…反転ローラ、３００…内ケース、３０１…掛止片、３０３…折り返し部、３０５…リング、３０７…水受
【図１】
0005689755.tif 000002
【図２】
0005689755.tif 000003
【図３】
0005689755.tif 000004
【図４】
0005689755.tif 000005
【図５】
0005689755.tif 000006
【図６】
0005689755.tif 000007
【図７】
0005689755.tif 000008
【図８】
0005689755.tif 000009
【図９】
0005689755.tif 000010
【図１０】
0005689755.tif 000011
【図１１】
0005689755.tif 000012
【図１２】
0005689755.tif 000013
【図１３】
0005689755.tif 000014
【図１４】
0005689755.tif 000015